(57)【特許請求の範囲】
【請求項１】
中空構造のヘッド本体と、
前記ヘッド本体の内側表面から起立し、前記内側表面上に略直線状に延びるリブと
を備えるゴルフクラブヘッドであって、
前記リブの側面には、非円形の開口が形成され、
前記開口は、前記リブの側面において、前記ヘッド本体の振動の節付近に形成され、前記ヘッド本体の振動の腹付近には形成されない、
ゴルフクラブヘッド。
【請求項２】
前記開口は、多角形である、
請求項１に記載のゴルフクラブヘッド。
【請求項３】
前記開口は、三角形である、
請求項２に記載のゴルフクラブヘッド。
【請求項４】
前記リブの側面には、複数の開口が形成されている、
請求項１から３のいずれかに記載のゴルフクラブヘッド。
【請求項５】
前記リブの側面には、前記リブが少なくとも部分的にトラス構造を形成するような態様で配列された複数の三角形の開口が形成されている、
請求項３又は４に記載のゴルフクラブヘッド。
【請求項６】
前記リブと、前記ヘッド本体の少なくとも一部とは、一体的に形成されている、
請求項１から５のいずれかに記載のゴルフクラブヘッド。
【請求項７】
前記リブは、前記ヘッド本体の少なくとも一部に対し、別個に製造された後、固着されている、
請求項１から５のいずれかに記載のゴルフクラブヘッド。
【請求項８】
前記開口の占める体積は、前記リブが占める体積の１０％〜７０％である、
請求項１から７のいずれかに記載のゴルフクラブヘッド。
【請求項９】
前記ヘッド本体は、ソール部を有し、
前記リブは、少なくとも前記ソール部の内側表面上に形成されている、
請求項１から８のいずれかに記載のゴルフクラブヘッド。
【請求項１０】
前記ヘッド本体は、クラウン部を有し、
前記リブは、少なくとも前記クラウン部の内側表面上に形成されている、
請求項１から９のいずれかに記載のゴルフクラブヘッド。
【請求項１１】
前記ヘッド本体は、フェース部を有し、
前記リブは、少なくとも前記フェース部の内側表面上に形成されている、
請求項１から１０のいずれかに記載のゴルフクラブヘッド。
【請求項１２】
前記ヘッド本体の前記内側表面は、互いに対向する第１面及び第２面を有し、
前記リブは、前記内側表面において前記第１面及び前記第２面以外の面を通ることなく、前記第１面から前記第２面まで延びている、
請求項１から１１のいずれかに記載のゴルフクラブヘッド。
【請求項１３】
ドライバーである、
請求項１から１２のいずれかに記載のゴルフクラブヘッド。
【請求項１４】
中空構造のヘッド本体と、
前記ヘッド本体の内側表面から起立し、前記内側表面上に略直線状に延びるリブと
を備えるゴルフクラブヘッドであって、
前記リブの側面には、開口が形成され、
前記開口は、前記リブの側面において、前記ヘッド本体の振動の節付近に形成され、前記ヘッド本体の振動の腹付近には形成されない、
ゴルフクラブヘッド。
【発明の詳細な説明】
【技術分野】
【０００１】
本発明は、ゴルフクラブヘッドに関する。
【背景技術】
【０００２】
ゴルフクラブヘッドには、ヘッド本体が中空構造を形成するものが多くある。この種のゴルフクラブヘッドでは、近年、ゴルフクラブヘッドの軽量化を目的として、ヘッド本体の薄肉化が進められている。しかしながら、このような薄肉化はゴルフクラブヘッドの剛性を低下させ、剛性が低下すると、一般的に好まれない低く鈍い打球音がするという問題が生じがちである。
【０００３】
そこで、上記問題を解決するために、ヘッド本体の内側表面上にリブが形成されることがある（特許文献１〜３参照）。このようなリブは、ヘッド本体の薄肉化により低下したゴルフクラブヘッドの剛性を効果的に向上させ、ひいてはゴルフクラブヘッドの固有振動数を大きくすることができる。その結果、薄肉化を図りつつも、高く響きのよい打球音が得られる。
【先行技術文献】
【特許文献】
【０００４】
【特許文献１】特開平１０−２４１２８号公報
【特許文献２】特開２００２−１８６６９１号公報
【特許文献３】特開２００９−２３３２６６号公報
【発明の概要】
【発明が解決しようとする課題】
【０００５】
しかしながら、打球音の改善のためにリブを形成すると、当該リブにより重量が増し、結果としてゴルフクラブヘッドの軽量化が十分に図れないことがある。
【０００６】
本発明は、打球音の劣化を防止しつつ、軽量化されたゴルフクラブヘッドを提供することを目的とする。なお、ここでいうゴルフクラブヘッドの軽量化には、ゴルフクラブヘッドの重量を絶対的に軽量化することだけでなく、より多くの余剰重量を確保することが含まれるものとする。ここでいう余剰重量とは、ヘッドを形成するための最低重量以外の重量を意味する。すなわち、余剰重量をゴルフクラブヘッドの各所に割り付けると、ゴルフクラブヘッド全体の重量は変化しないことになるが、このような場合であっても、余剰重量の割り付けられた部位を除いてゴルフクラブヘッドが軽量化される限りにおいては、ゴルフクラブが軽量化されていると考えることができる。同様に、重量の増加との記載又はこれに類する記載は、より少しの余剰重量しか確保できないことを意味し得る。
【課題を解決するための手段】
【０００７】
本発明の第１観点に係るゴルフクラブヘッドは、中空構造のヘッド本体と、前記ヘッド本体の内側表面から起立するリブとを備える。前記リブの側面には、非円形の開口が形成されている。なお、ここでいう開口は、貫通孔であってもよいし、有底の開口であってもよい。
【０００８】
本発明の第２観点に係るゴルフクラブヘッドは、第１観点に係るゴルフクラブヘッドであって、前記開口は、多角形である。なお、ここでいう多角形とは、略多角形を含む概念であり、少なくとも１つの角又は少なくとも１つの辺、或いはその両方が湾曲している形状をも含む。
【０００９】
本発明の第３観点に係るゴルフクラブヘッドは、第２観点に係るゴルフクラブヘッドであって、前記開口は、三角形である。なお、ここでいう三角形とは、略三角形を含む概念であり、少なくとも１つの角又は少なくとも１つの辺、或いはその両方が湾曲している形状をも含む。
【００１０】
本発明の第４観点に係るゴルフクラブヘッドは、第１観点から第３観点のいずれかに係るゴルフクラブヘッドであって、前記リブの側面には、複数の開口が形成されている。
【００１１】
本発明の第５観点に係るゴルフクラブヘッドは、第３観点又は第４観点に係るゴルフクラブヘッドであって、前記リブの側面には、前記リブが少なくとも部分的にトラス構造を形成するような態様で配列された複数の三角形の開口が形成されている。
【００１２】
本発明の第６観点に係るゴルフクラブヘッドは、第１観点から第５観点のいずれかに係るゴルフクラブヘッドであって、前記リブと、前記ヘッド本体の少なくとも一部とは、一体的に形成されている。
【００１３】
本発明の第７観点に係るゴルフクラブヘッドは、第１観点から第５観点のいずれかに係るゴルフクラブヘッドであって、前記リブは、前記ヘッド本体の少なくとも一部に対し、別個に製造された後、固着されている。
【００１４】
本発明の第８観点に係るゴルフクラブヘッドは、第１観点から第７観点のいずれかに係るゴルフクラブヘッドであって、前記開口の占める体積は、前記リブが占める体積の１０％〜７０％である。
【００１５】
本発明の第９観点に係るゴルフクラブヘッドは、第１観点から第８観点のいずれかに係るゴルフクラブヘッドであって、前記ヘッド本体は、ソール部を有する。前記リブは、少なくとも前記ソール部の内側表面上に形成されている。
【００１６】
本発明の第１０観点に係るゴルフクラブヘッドは、第１観点から第９観点のいずれかに係るゴルフクラブヘッドであって、前記ヘッド本体は、クラウン部を有する。前記リブは、少なくとも前記クラウン部の内側表面上に形成されている。
【００１７】
本発明の第１１観点に係るゴルフクラブヘッドは、第１観点から第１０観点のいずれかに係るゴルフクラブヘッドであって、前記ヘッド本体は、フェース部を有する。前記リブは、少なくとも前記フェース部の内側表面上に形成されている。
【００１８】
本発明の第１２観点に係るゴルフクラブヘッドは、第１観点から第１１観点のいずれかに係るゴルフクラブヘッドであって、前記ヘッド本体の前記内側表面は、互いに対向する第１面及び第２面を有する。前記リブは、前記内側表面において前記第１面及び前記第２面以外の面を通ることなく、前記第１面から前記第２面まで延びている。
【００１９】
本発明の第１３観点に係るゴルフクラブヘッドは、第１観点から第１２観点のいずれかに係るゴルフクラブヘッドであって、前記開口は、前記リブの側面において、前記ヘッド本体の振動の節付近に形成されている。
【００２０】
本発明の第１４観点に係るゴルフクラブヘッドは、第１観点から第１３観点のいずれかに係るゴルフクラブヘッドであって、ドライバーである。
【００２１】
本発明の第１５観点に係るゴルフクラブヘッドは、中空構造のヘッド本体と、前記ヘッド本体の内側表面から起立するリブとを備える。前記リブの側面には、開口が形成されている。
【発明の効果】
【００２２】
本発明によれば、中空構造のヘッド本体の内側表面上にリブが形成され、当該リブの側面には開口が形成される。その結果、リブによりゴルフクラブヘッドの剛性を向上させつつも、リブの側面に形成された開口によりゴルフクラブヘッドの重量の増加が抑制される。さらに、リブの重量に対するリブの剛性（以下、リブの比剛性という）を効率よく向上させることができる。従って、ゴルフクラブヘッドの剛性低下を効果的に抑制することができ、打球音の劣化を防止しつつ、ゴルフクラブヘッドが軽量化される。
【００２３】
特に、第２観点のように、リブの開口が多角形に形成される場合には、リブの比剛性をより効率よく向上させることができる。また、第５観点のように、三角形の開口を複数形成し、リブを少なくとも部分的にトラス構造とした場合には、リブの比剛性をさらに効率よく向上させることができる。
【図面の簡単な説明】
【００２４】
【図１】基準状態でのゴルフクラブヘッドの斜視図。
【図２】基準状態でのゴルフクラブヘッドの平面図。
【図３】フェース部の境界を説明する図。
【図４】フェース部を除去したゴルフクラブヘッドを正面側から見た図。
【図５】クラウン部を除去したゴルフクラブヘッドを上方から見た図。
【図６】リブの拡大図。
【図７】変形例に係るリブを示す図。
【図８】別の変形例に係るリブを示す図。
【図９】さらに別の変形例に係るリブを示す図。
【図１０】さらに別の変形例に係るフェース部を除去したゴルフクラブヘッドを示す図。
【図１１】さらに別の変形例に係るリブを示す図。
【図１２】実施例及び比較例に係る薄板部材（リブ）を示す図。
【発明を実施するための形態】
【００２５】
以下、図面を参照しつつ、本発明の一実施形態に係るゴルフクラブヘッドについて説明する。
【００２６】
＜１．ゴルフクラブヘッドの全体構成＞
図１は、本実施形態に係るゴルフクラブヘッド（以下、単に「ヘッド」ということがある）１００の基準状態での斜視図であり、図２は、ヘッド１００の基準状態での平面図である。なお、ゴルフクラブヘッド１００の基準状態については、後述する。ヘッド１００は、中空構造のヘッド本体６を有しており、ヘッド本体６は、互いに連続するフェース部１、クラウン部２、ソール部３、サイド部４及びホーゼル部５によって壁面が形成されている。ヘッド１００は、ドライバー（＃１）又はフェアウェイウッドといったウッド型であるが、後述する開口Ｓ１付きのリブ７を適用可能なゴルフクラブヘッドのタイプは限定されず、ヘッド本体が中空構造である限り、いわゆるユーティリティ型及びハイブリッド型等であってもよいし、アイアン型であってもよい。
【００２７】
フェース部１は、ボールを打撃するフェース面を有し、ヘッド１００の前方部分を構成する。フェース面は、概ね平坦である。クラウン部２は、フェース部１と隣接し、ヘッド１００の上面を構成する。ソール部３は、ヘッド１００の底面を構成し、フェース部１及びサイド部４と隣接する。また、サイド部４は、クラウン部２とソール部３との間の部位であり、フェース部１のトゥ側からヘッド１００のバック側を通り、フェース部１のヒール側へと延びる部位である。サイド部４のうち、特にトゥ側の部位をサイド部４ａと表し、ヒール側の部位をサイド部４ｂと表す。さらに、ホーゼル部５は、クラウン部２のヒール側に隣接して設けられる部位であり、ゴルフクラブのシャフト（図示省略）が挿入される挿入孔５１を有している。
【００２８】
ここで、上述した基準状態について説明する。図１及び図２に示すように、上記挿入孔５１の中心軸線Ｚが水平面Ｈに対して垂直な平面Ｄ１（以下、基準垂直面Ｄ１）に含まれ、且つ所定のライ角とフック角となるように水平面Ｈ上にヘッド１００が載置された状態を、基準状態と規定する。また、図２に示すように、基準垂直面Ｄ１と水平面Ｈとの交線の方向をトゥ−ヒール方向と称し、このトゥ−ヒール方向に対して垂直であり且つ水平面Ｈに対して平行な方向をフェース−バック方向と称する。また、水平面Ｈに対して垂直な方向をトップ−ソール方向と称する。
【００２９】
本実施形態において、クラウン部２とサイド部４との境界は次のように定義することができる。すなわち、クラウン部２とサイド部４との間に稜線が形成されている場合には、これが境界となる。これに対して、明確な稜線が形成されていない場合には、ヘッド１００を基準状態に設置し、これをヘッド１００の重心Ｇの真上から見たときの輪郭が境界となる。また、フェース部１とクラウン部２、ソール部３との境界についても、同様であり、稜線が形成されている場合には、これが境界となる。一方、明確な稜線が形成されていない場合には、図３（ａ）に示されるように、ヘッド１００の重心ＧとスイートスポットＳＳとを結ぶ直線Ｎを含む各断面Ｅ１、Ｅ２、Ｅ３…において、図３（ｂ）に示されるように、フェース外面の輪郭線Ｌｆの曲率半径ｒがスイートスポットＳＳ側からフェースの外側に向かって初めて２００ｍｍとなる位置Ｐｅがフェース部１の周縁（境界）として定義される。なお、スイートスポットＳＳとは、ヘッド重心Ｇからフェース外面に下した垂線の足である。
【００３０】
ゴルフクラブヘッド１００の体積は、例えば、７０ｃｍ3以上であることが好ましい。ゴルフクラブヘッド１００がドライバーである場合には、３００ｃｍ3以上であることが好ましく、４００ｃｍ3以上であることがさらに好ましく、４２０ｃｍ3以上であることが特に好ましい。このような体積を有するヘッドは、構えた際の安心感が増し、かつ、スイートエリア及び慣性モーメントを増大させるのに役立つ。なお、ヘッド体積の上限は特に定めないが、実用上、例えば５００ｃｍ3以下が望ましく、またＲ＆ＡやＵＳＧＡのルール規制に従う場合には４７０ｃｍ3以下が望ましい。
【００３１】
ヘッド本体６は、例えば、比重が４．０〜５．０程度のチタン合金（例えば、Ｔｉ−６Ａｌ−４Ｖ）で形成することができる。また、チタン合金以外にも、例えばステンレス鋼、マレージング鋼、アルミ合金、マグネシウム合金、またはアモルファス合金等の中から１種または２種以上を用いて形成することもできる。また、金属材料に限らず、繊維強化プラスチック等で形成することもできる。後述するリブ７の材料についても同様である。なお、リブ７とヘッド本体６とは同じ材料で形成されていてもよいし、異なる材料で形成されていてもよい。
【００３２】
ところで、本実施形態に係るヘッド１００は、クラウン部２、ソール部３、サイド部４及びホーゼル部５を有する本体部と、フェース部１とを組み立てることで構成される。本体部とフェース部１とは、例えば、溶接（プラズマ溶接、レーザー溶接、ロウ付けなど）により接合される。本体部は、クラウン部２、ソール部３及びサイド部４で囲まれた開口を有し、この開口を塞ぐようにフェース部１が取り付けられる。本体部は、複数の部品から組み立てることもできるし、一体的に形成することもできる。このような本体部及びフェース部１は、種々の方法で作製することができる。例えば、本体部は、公知のロストワックス精密鋳造法などの鋳造によって製造することができる。また、フェース部１は、例えば、鍛造製法や、平板のプレス加工等により製造することができる。
【００３３】
＜２．リブの構造＞
図４は、フェース部１を除去したヘッド１００を正面側から見た図であり、図５は、クラウン部２を除去したヘッド１００を上方から見た図である。図４及び図５は、ヘッド本体６の内部空間を示しており、同図に示されるとおり、ソール部３の内側表面上には、リブ７が形成されている。リブ７は、ヘッド１００の剛性を向上させ、ヘッド１００の固有振動数を大きくする役割を担うものであり、ひいては高音で心地の良い打球音を得ることができる。本実施形態に係るリブ７は、この剛性向上効果を高めるため、ソール部３の内側表面から当該内側表面に対し概ね直交するように起立しているが、一方に傾くように形成することも可能である。
【００３４】
図４及び図５に示すとおり、本実施形態に係るリブ７は、フェース部１に対し概ね平行に延びている。従って、リブ７は、主としてトゥ−ヒール方向の撓みを抑え、当該方向の剛性を高めることができる。また、本実施形態に係るリブ７は、薄い板状の部材であり、その長手方向に沿って概ね均等な厚みｗ１を有している。リブ７の厚みｗ１は、実現されるべき剛性値、ヘッド１００全体での重量に対して許容されるリブ７の重量等の設計条件に応じて適宜設定可能であるが、ｗ１＝０．５ｍｍ〜３．０ｍｍであることが好ましく、ｗ１＝０．７ｍｍ〜２．０ｍｍであることがより好ましい。リブ７の厚みｗ１がこのように薄い場合には、リブ７による重量の増加を抑えつつも、ヘッド１００の剛性を効率的に向上させることができる。また、リブ７の長手方向の長さＬ１も、設計条件に応じて適宜設定することが可能であるが、例えば、Ｌ１＝８０ｍｍ〜１３０ｍｍ、より好ましくはＬ１＝９０ｍｍ〜１２０ｍｍとすることができる。また、Ｌ１に関する上記数値範囲は、ヘッド１００の体積が４００ｃｍ3以上の場合に特に適している。
【００３５】
本実施形態のリブ７の上端縁７ａは、ソール部３においてリブ７が起立する部分の外側縁に概ね平行であり、外側に凸の形状で緩やかに湾曲している。一方、ヘッド本体６の内側表面には、ヘッド１００の設計重心位置を実現する等の目的で余剰重量が割り当てられた肉厚部分６ａ，６ｃと、薄肉部分６ｂとが存在する。そのため、リブ７の高さｈ１は、概して当該薄肉部分６ｂでは高く、厚肉部分６ａ，６ｃでは低くなるが、例えば、最も高いところでｈ１＝３ｍｍ〜１０ｍｍ、より好ましくはｈ１＝４ｍｍ〜８ｍｍとすることができる。ただし、リブ７の高さｈ１も、設計条件に応じて適宜設定することが可能である。また、ソール部３の肉厚だけでなく、ソール部３の湾曲具合によっても、リブ７の形状が変化し、ｈ１も変化する。
【００３６】
図６は、リブ７の拡大図である。図６に示すとおり、リブ７の側面には、多数の開口Ｓ１が形成されている。その結果、リブ７による剛性向上効果を低下させることなく、ヘッド１００の軽量化を図ることができる。
【００３７】
本実施形態に係る開口Ｓ１は、貫通孔であり、リブ７の形状の都合上一部例外はあるものの、主として全て三角形の形状を有している。なお、本実施形態では、開口Ｓ１は、主として全て略正三角形である。さらに、これらの開口Ｓ１は、リブ７のトゥ側の端部７ｂ以外の部位７ｃにおいて、隣接する三角形の辺と辺とが概ね平行になるように配列されている。すなわち、本実施形態に係るリブ７は、隣接する開口Ｓ１間の間隔ｗ２が概ね一定であり、幅ｗ２の梁を接続することにより形成されるようなトラス構造を形成している。その結果、リブ７の強度を、ひいてはリブ７による剛性向上効果を損なうことなく、効率よくヘッド１００の軽量化が実現される。
【００３８】
梁の幅ｗ２も、設計条件に応じて適宜設定することが可能であるが、例えば、ｗ２＝０．５ｍｍ〜３．０ｍｍ、より好ましくはｗ２＝０．７ｍｍ〜２．０ｍｍとすることができる。なお、幅ｗ２は、場所によって異なるものとすることもできる。言い換えると、リブ７は、幅ｗ２の異なる梁を組み合わせて形成したようなトラス構造とすることもできる。また、幅ｗ２は、同じ梁内で変化してもよく、梁の長手方向の輪郭線が平行でなくてもよい。また、リブ７全体の体積に対し開口Ｓ１の占める体積の割合は、設計条件に応じて適宜設定することが可能であるが、例えば１０％〜７０％であり、より好ましくは２０％〜５０％である。
【００３９】
リブ７に形成される開口Ｓ１は、開口Ｓ１の形成されていない、リブ７となる部材（後述するように、ヘッド本体６の少なくとも一部及びリブ７を一体的に形成する場合には、これらの一体物）を成形した後に、当該部材に対し切削等の方法で形成することができる。或いは、鋳造等により、最初から開口Ｓ１の形成されたリブ７を製造することもできる。また、リブ７（開口Ｓ１が形成されているもの及び開口Ｓ１が形成されていないものを含む。）は、ヘッド本体６の少なくとも一部（例えば、上述の本体部）と一体的に形成することもできるし、ヘッド本体６とは別個に製造した後に、ヘッド本体６の少なくとも一部に対し溶接等により固着することもできる。
【００４０】
＜３．変形例＞
以上、本発明の一実施形態について説明したが、本発明は上記実施形態に限定されるものではなく、その趣旨を逸脱しない限りにおいて、種々の変更が可能である。例えば、以下の変更が可能である。また、以下の変形例の要旨は、適宜組み合わせることができる。
【００４１】
＜３−１＞
リブ７に形成される開口Ｓ１の形状は、上述したものに限られず、例えば、四角形、五角形・・・等、三角形以外の多角形とすることができる。また、三角形であっても、正三角形に限らず、任意の三角形に形成することができる。ただし、三角形の開口Ｓ１を配列してリブ７をトラス構造にする観点からは、開口Ｓ１は正三角形や直角三角形、二等辺三角形等であることが好ましい。四角形であれば、正方形や長方形や平行四辺形が好ましい。すなわち、開口Ｓ１の形状としては、密に開口Ｓ１を配置し易い形状が好ましい。
【００４２】
＜３−２＞
リブ７に形成される開口Ｓ１の数は、１つであってもよい。また、リブ７に複数の開口Ｓ１が形成される場合において、同じ形状の開口Ｓ１のみを組み合わせるのではなく、異なる形状の開口Ｓ１を組み合わせることも可能であり、例えば、図７のように、異なる三角形の形状の開口Ｓ１を組み合わせることもできるし、例えば、図８のように、三角形の開口と四角形の開口Ｓ１とを組み合わせることができる。また、複数の三角形の開口Ｓ１が形成される場合において、例えば、図９のように、リブ７がトラス構造とならないように開口Ｓ１を配列することもできる。
【００４３】
＜３−３＞
ヘッド本体６の内側表面上において、開口Ｓ１の形成された複数本のリブ７を形成することができる。また、開口Ｓ１の形成されているリブ７と、開口Ｓ１の形成されていないリブとを組み合わせて形成することもできる。
【００４４】
＜３−４＞
リブ７の形成される位置は、上述したものに限られない。例えば、クラウン部２、サイド部４又はフェース部１の内側表面上のいずれかに形成してもよいし、これらの部１，２，４及びソール部３から選択される２つ以上の部の内側表面上に跨って形成することもできる。また、ヘッド本体６の内側表面を構成する、互いに対向する任意の面と面との間に柱状に延びるリブ７を形成し、そこに開口Ｓ１を形成することができる。例えば、図１０に示すように、サイド部４を介さずにクラウン部２からソール部３を繋ぐように柱状に延びるリブ７を形成し、そこに開口Ｓ１を形成することもできる。
【００４５】
また、リブ７の延びる方向も上述したものに限られず、例えば、トゥ−ヒール方向に延びるように形成することもできるし、フェース−バック方向に延びるように形成することもできるし、トップ−ソール方向に延びるように形成することもできるし、トゥ−ヒール方向、フェース−バック方向及びトップ−ソール方向から選択される２つ以上の方向に対して角度を付けて延びるように形成することもできる。また、リブ７は、その長手方向に沿って直線状に延びている必要はなく、湾曲していてもよい。すなわち、リブ７は、ヘッド本体６の内側表面のうち、剛性を向上させたい箇所に、剛性を向上させたい方向に沿って、任意の態様で形成することができる。
【００４６】
＜３−５＞
上記実施形態では、高さの低いリブ７のトゥ側の端部７ｂにおいては、成形が難しいため開口Ｓ１が形成されないが、開口Ｓ１は、リブ７全体に亘って形成することもできる。また、リブ７の一部にのみ開口Ｓ１を形成する場合であっても、例えば、図１１のように、開口Ｓ１は、リブ７の上記実施形態とは異なる部位に形成することもできる。
【００４７】
通常、一次固有振動モードは、ソール面の中央付近が振動の腹に、外周付近が振動の節になる場合が多く、その振動の腹付近はリブ７による剛性向上をより必要としている。従って、図１１のように、ヘッド本体６の振動の腹付近ではリブ７に開口Ｓ１を形成しないように構成することができる。すなわち、リブ７に開口Ｓ１を形成する場合には、若干ではあるが、その周辺においてリブ７による剛性向上効果が低下し得る。従って、開口Ｓ１は、リブ７の剛性向上効果が低下したとしても比較的問題とならない部位である、振動の節付近に形成することが好ましいと言える。勿論、振動の腹及び節の両方に開口Ｓ１を形成してもよいが、振動の腹付近には開口Ｓ１を形成しない又は少ししか形成しないようにし、振動の節付近に開口Ｓ１が集中するようにことで、効果的に剛性を維持させることができる。
【００４８】
＜３−６＞
リブ７に形成される開口Ｓ１は、上記実施形態のように貫通孔とすることもできるし、有底の開口とすることもできる。また、貫通孔と有底の開口とを組み合わせることもできる。
【実施例】
【００４９】
以下、本発明の実施例について説明する。但し、本発明は、以下の実施例に限定されない。
【００５０】
ここでは、第１比較例として、リブを簡易的に開口のない薄板部材とし（図１２（Ａ）参照）、長手方向の断面二次モーメントを算出した。また、第２比較例として、第１比較例１よりも高さｈ１が低く、開口のない薄板部材（図１２（Ｂ）参照）の長手方向の断面二次モーメントを算出した。
【００５１】
また、第１実施例として、正三角形の開口（貫通孔）を有する薄板部材（図１２（Ｃ）参照）の、第２実施例として、正方形の開口（貫通孔）を有する薄板部材（図１２（Ｄ）参照）の、第３実施例として、円形の開口（貫通孔）を有する薄板部材（図１２（Ｅ）参照）の、長手方向の断面二次モーメントを算出した。
【００５２】
以上の比較例及び実施例に係る薄板部材の寸法（長さＬ１、厚みｗ１及び高さｈ１）は、以下の表１のとおりであった。また、実施例の薄板部材の開口の寸法（底辺ｂ１、高さｂ２及び直径ｒ１）も、以下の表１のとおりであった。すなわち、第１〜第３実施例の薄板部材は、第１比較例と同じ形状・同素材の薄板部材に開口を形成したものであり、各々開口の形状は異なるものの、開口の体積は同じである。また、第２比較例の薄板部材は、第１比較例及び第１〜第３実施例の薄板部材と比較して、高さｈ１以外の寸法は同じである。また、第２比較例の薄板部材と、第１〜第３実施例の薄板部材の占める体積とは、全て同じである。従って、上記実施形態のリブ７として第１比較例の薄板部材を用いた場合に対する、第２比較例及び第１〜第３実施例の薄板部材を用いた場合の重量（体積）の低減効果は同じである。
【表１】
0006527318.tif 000002
【００５３】
第１比較例の断面二次モーメントに対する、第２比較例及び第１〜第３実施例の各断面二次モーメントの百分率をリブの剛性比として算出したところ、表１に示すとおりとなった。なお、ここで算出された断面二次モーメントは、薄板部材の長手方向に垂直な各断面の断面二次モーメントを、長手方向に沿って一端から他端まで積分した値である。
【００５４】
断面二次モーメントは、物体の剛性を表す指標となるが、表１から分かるとおり、第１比較例に対し同じ分量だけ重量（体積）を低減した場合に剛性の低下を防ぐことができる程度（リブの剛性比）は、第１実施例（正三角形）、第２実施例（正方形）、第３実施例（円形）、第２比較例（開口なしで、高さが低い）の順となった。すなわち、上記実施形態のリブ７に開口を設けることで、軽量化を図りつつも、効率的に剛性を維持することができることが分かる。また、開口の形状としては、軽量化及び剛性の向上を図る観点からは、多角形が優れており、特に、三角形が優れていることが分かる。
【符号の説明】
【００５５】
１  フェース部
２  クラウン部
３  ソール部
４  サイド部
６  ヘッド本体
７  リブ
７ｂ  トゥ側の端部
７ｃ  トゥ側の端部以外の部位
１００  ゴルフクラブヘッド
Ｓ１  開口
【図１】
0006527318.tif 000003
【図２】
0006527318.tif 000004
【図３】
0006527318.tif 000005
【図４】
0006527318.tif 000006
【図５】
0006527318.tif 000007
【図６】
0006527318.tif 000008
【図７】
0006527318.tif 000009
【図８】
0006527318.tif 000010
【図９】
0006527318.tif 000011
【図１０】
0006527318.tif 000012
【図１１】
0006527318.tif 000013
【図１２】
0006527318.tif 000014